(57)【要約】  【課題】  工事区間等の交通整理を行う目的で使用される無線制御式交通信号機システムにおいて、信号機に接続された電池の電圧低下警報を無線回線により接続されたリモコン装置に出力する。  【解決手段】  リモコン装置４にスピーカあるいはブザー５を持たせ、信号機１に内蔵されている無線機７のマイコンで電池３の電圧を監視し、低電圧を感知した場合、信号灯９を点滅させるなどして警告を出力するとともに、前記無線機７から無線回線で接続されているリモコン装置４に対して警報信号を出力し、警報信号を受信したリモコン装置４は警報をスピーカあるいはブザー５から出力する。【選択図】      図１
2005107568.tif 000002
【特許請求の範囲】
【請求項１】
無線機と信号灯制御部と信号灯とから少くとも構成される信号機と、該信号機を駆動する電池と、前記信号機と無線回線により接続され、前記信号機を制御するリモコン装置とから構成される無線制御式工事用交通信号機システムにおいて、
前記信号機に前記電池の電圧を監視する監視手段を設け、該監視手段が前記電池の電圧が所定の値より低くなったことを検知した場合、前記信号灯および／または前記リモコン装置において警報を出力することを特徴とする無線制御式工事用交通信号機システム。
【請求項２】
請求項１記載の無線制御式工事用交通信号機システムにおいて、
前記電池の電圧を監視する監視手段を前記無線機に設け、該無線機に内蔵されたマイコンにより前記電池の電圧を監視し、前記マイコンが前記電池の電圧が所定の値より低くなったことを検知した場合、前記信号灯および／または前記リモコン装置において警報を出力することを特徴とする無線制御式工事用交通信号機システム。
【請求項３】
請求項１記載の無線制御式工事用交通信号機システムにおいて、
前記電池の電圧を監視する監視手段を前記信号灯制御部に設け、該信号灯制御部が前記電池の電圧が所定の値より低くなったことを検知した場合、前記信号灯および／または前記リモコン装置において警報を出力することを特徴とする無線制御式工事用交通信号機システム。
【発明の詳細な説明】
【技術分野】
【０００１】
本発明は、交通信号機システムに関し、特に、工事区間等の交通整理を行うことを目的とし、無線回線を使用して信号灯の切り替え制御を行う無線制御式工事用交通信号機システムに関するものである。
【背景技術】
【０００２】
従来の技術を図２により説明する。図２は無線制御式工事用交通信号機システムの一例である。
信号機ａ１’、信号機ｂ２’、残量表示付電池３’及びリモコン装置４’で構成される工事区間等の交通整理を行うことを目的とした無線制御式工事用交通信号機システムにおいて、前記信号機ａ１’及び信号機ｂ２’は、電池残量を示す表示器が装備されている残量表示付電池３’により駆動されている。信号機ａ１’と信号機ｂ２’は、無線回線により接続されていて、信号機ａ１’に有線又は無線で接続されたリモコン装置４’の命令により、信号機ａ１’及び信号機ｂ２’の信号灯の点灯を制御するものである。
【０００３】
図３により、本システムの一動作例を説明する。工事用信号機の操作者は、信号機ａに有線又は無線で接続されたリモコン装置を手に持ち、交通状況を見て、例えば「信号機ｂ青」とリモコン装置を操作する。信号機ａは前記操作を受け、信号機ｂに対し赤指定信号を出力し、信号機ａを「青」、信号機ｂを「赤」に切替える。又、「信号機ｂ青」とリモコン装置を操作する。信号機ａは前記操作を受け信号機ｂに対し青指定信号を出力し、信号機ａを「赤」、信号機ｂを「青」に切替える。
【０００４】
上記のように、無線により信号機の制御を行う信号機システムには、例えば、特許文献１のようなものがある。
【特許文献１】特開平９−１７１６００号公報
【発明の開示】
【発明が解決しようとする課題】
【０００５】
前述の従来技術の無線制御式交通信号機システムでは、電池の電圧低下を電池に接続された電池残量を示す表示器にて確認を行う為、信号機操作者が信号機から離れている場所で信号機操作を行こなっている場合は、電池の電圧低下を確認することが出来ないという課題が有る。本発明は、信号機に接続された電池の電圧低下を、無線回線により接続されたリモコン装置に警報を出すことで、信号機操作者が信号機から離れている場所に居ても、電池の電圧低下を確認できることを目的とする。
【課題を解決するための手段】
【０００６】
本発明では、上記の課題を解決するため、無線機と信号灯制御部と信号灯とから少くとも構成される信号機と、該信号機を駆動する電池と、前記信号機と無線回線により接続され、前記信号機を制御するリモコン装置とから構成される無線制御式工事用交通信号機システムにおいて、前記信号機に前記電池の電圧を監視する監視手段を設け、該監視手段が前記電池の電圧が所定の値より低くなったことを検知した場合、前記信号灯および／または前記リモコン装置において警報を出力するようにしたものである。
【０００７】
また、前記電池の電圧を監視する監視手段を前記無線機に設け、該無線機に内蔵されたマイコンにより前記電池の電圧を監視し、前記マイコンが前記電池の電圧が所定の値より低くなったことを検知した場合、前記信号灯および／または前記リモコン装置において警報を出力するようにしたものである。
【０００８】
また、前記電池の電圧を監視する監視手段を前記信号灯制御部に設け、該信号灯制御部が前記電池の電圧が所定の値より低くなったことを検知した場合、前記信号灯および／または前記リモコン装置において警報を出力するようにしたものである。
【発明の効果】
【０００９】
本発明により、工事区間等で交通整理を行う目的に使用される電池で駆動される無線制御式工事用信号機システムにおいて、信号機に接続された電池の電圧低下を無線回線により接続されたリモコン装置にて監視できる。
【発明を実施するための最良の形態】
【００１０】
図１により、無線制御式工事用交通信号機システムの構成の一実施例を説明する。
信号機ａ１、信号機ｂ２、電池３及びスピーカもしくはブザー５を所有したリモコン装置４で構成される工事区間等の交通整理を行うことを目的とした無線制御式工事用交通信号機システムにおいて、前記信号機ａ１及び信号機ｂ２は前記電池３により駆動されている。信号機ａ１と信号機ｂ２は無線回線により接続されていて、信号機ａ１は、無線回線で接続されたリモコン装置４の命令により、信号機ａ１及び信号機ｂ２の信号灯９の点灯を制御するものである。
【００１１】
信号機ａ１及び信号機ｂ２には、電池の電圧を監視する制御回路が具備されていて、規定の電圧以下となった場合に、信号灯を点滅させるなどして警告を出力するとともに、電池電圧低下警報信号を前記リモコン装置４に対して出力する。電池電圧低下警報信号を受信した前記スピーカもしくはブザー５を所有したリモコン装置４は、警報音をスピーカもしくはブザー５から鳴らし、信号機操作者に警報を出すようにしたものである。
【００１２】
図３により、本システムの一動作例を説明する。工事用信号機の操作者は、信号機ａに無線回線で接続されたリモコン装置を手に持ち、交通状況を見て、例えば「信号機ｂ青」とリモコン装置を操作する。リモコン装置は、前記操作を受け信号機ａに対し「信号機ａ赤指定信号」を出力する。前記指定信号を受信した信号機ａは、信号機ｂに対し「信号機ｂ青指定信号」を出力する。信号機ｂは、前記指定信号を受信し信号機ａに対し「青指定了解」の信号を出力する。前記了解の信号を受信した信号機ａは、リモコン装置に対し「赤指定了解」を出力し、信号機ａを「赤」、信号機ｂを「青」に点灯させる。また、「信号機ａ青」の場合も同様である。
【００１３】
図４に電池の電圧を監視する制御回路の一例を示す。本実施例は、信号機に内蔵されている無線機６のマイコン７にて監視制御する方法である。電池の電源は、抵抗器１０及び抵抗器１１で分圧されて電圧検出回路１２に入力され、電圧検出回路１２の出力はマイコン７に接続されている。電圧検出回路１２は、例えば４．５ＶＤＣ以下の入力で０ＶＤＣを出力するＩＣを選択する。例えば、株式会社リコー製のＲＮ５ＶＤ４５Ａである。電池の電源電圧が１０ＶＤＣの時、電圧検出回路１２の入力が４．５ＶＤＣとなるように、抵抗器１０と抵抗器１１の抵抗値を設定する。このように回路を構成することにより、電池の電源電圧が１０ＶＤＣ以下となった場合、電圧検出回路１２の入力が４．５ＶＤＣ以下となる為、電圧検出回路１２はマイコン７に対して、０ＶＤＣを出力する。０ＶＤＣを入力されたマイコン７は、電池の電圧低下を感知して、リモコン装置５に対して、無線回線を介して警報信号を出力する。
【００１４】
図５により、電池の電圧低下を感知した場合の本システムの一動作例を示す。信号機ａが電池の電圧低下を感知した場合、自らの信号灯を赤点滅にすると同時に、子信号機に対して「赤点滅指定」を出力する。信号機ｂは、前記信号を受信して「赤点滅」に信号灯を切替える。また、信号機ａは、リモコン装置に対して警報信号を出力する。前記警報信号を受信したリモコン装置は、リモコン装置に内蔵されたスピーカもしくはブザーにより警報音を出力し、リモコン装置を持った本システムの操作者に警報を与える。警報を受け取ったリモコン装置の操作者は、信号機に接続された電池を交換して、再びシステムの運用に戻る。
【００１５】
上記の実施例では、無線機６に電圧検出回路を内蔵し、無線機に内蔵のマイコン７にて電池３の電圧を監視しているが、信号灯制御部８に電圧検出回路を内蔵し、電池３の電圧を監視することも可能である。
【図面の簡単な説明】
【００１６】
【図１】本発明及び一実施例のシステム構成図。
【図２】従来例を示すシステム構成図。
【図３】無線制御式交通信号機システムの一動作例。
【図４】低電圧検出回路の一例。
【図５】無線制御式交通信号機システムの一動作例。
【符号の説明】
【００１７】
１、１’：信号機ａ、
２、２’：信号機ｂ、
３：電池、
３’：残量表示付電池、
４、４’：リモコン装置、
５：スピーカもしくはブザー、
６：無線機、
７：マイコン、
８：信号灯制御部、
９：信号灯、
１０、１１：抵抗器、
１２：電圧検出回路。
【図１】
2005107568.tif 000003
【図２】
2005107568.tif 000004
【図３】
2005107568.tif 000005
【図４】
2005107568.tif 000006
【図５】
2005107568.tif 000007